(57)【要約】【課題】シート切断時におけるカッタハウジングの姿勢の変動を抑制するとともに、カッタハウジングの回動時の負荷を軽減することができるシート切断装置および画像形成装置を提供すること。【解決手段】シート切断装置は、シート切断後、シート搬送経路に対してシート厚さ方向下方に退避した状態でシート幅方向に移動可能に構成されたカッタハウジング５１と、シート幅方向に移動可能な移動部材と、カッタハウジング５１と移動部材を接続する回転軸と、シートの切断動作時において、ガイド部材に接触することでカッタハウジング５１をシート厚さ方向下方に押付ける押付部材１００およびコイルばね１０１を備えた構成を有する。【選択図】図１７
2014113665.tif 000002
【特許請求の範囲】
【請求項１】
搬送経路を搬送されるシートを所定の長さに切断するシート切断装置であって、
前記シートを切断する刃部からなるカッタを収容するとともに、前記シートの厚さ方向上方において前記シートの切断動作を実行し、前記シートの切断後、前記搬送経路に対して前記シートの厚さ方向下方に退避した状態で前記シートの搬送方向と直交する幅方向に移動可能に構成されたカッタハウジングと、
前記カッタハウジングに対して前記シートの搬送方向に離隔して設けられ、前記幅方向に亘って設けられたガイド部材に沿って移動可能な移動部材と、
前記カッタハウジングおよび前記移動部材を接続するとともに、前記移動部材に対して前記カッタハウジングを前記シートの厚さ方向に回動させる中心軸を有する接続部材と、
前記シートの切断動作時において、前記ガイド部材に接触することで前記カッタハウジングを前記シートの厚さ方向に押付ける押付部材とを備えたことを特徴とするシート切断装置。
【請求項２】
前記押付部材は、前記シートの切断動作時に前記押付部材と対向する前記ガイド部材の対向面と接触する接触部を有することを特徴とする請求項１に記載のシート切断装置。
【請求項３】
前記接触部は、前記シートの搬送方向に平行な軸を中心として回転する回転体によって構成されていることを特徴とする請求項２に記載のシート切断装置。
【請求項４】
前記押付部材は、前記カッタハウジングが前記シートの厚さ方向下方に退避した状態にあるときに前記ガイド部材と接触しないことを特徴とする請求項１〜請求項３のいずれか１項に記載のシート切断装置。
【請求項５】
前記押付部材は、前記カッタハウジングが前記シートの切断動作を行うシート切断位置から前記シートの厚さ方向下方に退避する退避動作開始時において、前記カッタハウジングを前記シートの厚さ方向に回動させる方向に弾性力を付与することを特徴とする請求項１〜請求項４のいずれか１項に記載のシート切断装置。
【請求項６】
前記シートの切断動作時に前記カッタハウジングの姿勢の変動を抑制する変動抑制状態および前記搬送経路に対して前記シートの厚さ方向下方に退避した状態であるときに前記カッタハウジングの姿勢の変動の抑制を解除する解除状態を、前記カッタハウジングの回動に応じて切り替える抑制部材を備えたことを特徴とする請求項１〜請求項５のいずれか１項に記載のシート切断装置。
【請求項７】
請求項１〜請求項６のいずれか１項に記載のシート切断装置を備えた画像形成装置であって、
シート上に画像を形成する画像形成手段と、
前記画像が形成されたシートを前記シート切断装置に搬送するシート搬送手段とを備えたことを特徴とする画像形成装置。
【発明の詳細な説明】
【技術分野】
【０００１】
本発明は、ロール状に巻かれたシートを任意の長さに切断するためのシート切断装置に関し、特に、プリンタ、複写機、ファクシミリ等の画像形成装置に搭載されるシート切断装置に関する。
【背景技術】
【０００２】
従来、ロール状に巻かれた長尺のシート（以下、ロール紙という）を所定の搬送方向に搬送し、当該ロール紙上に画像を形成するタイプの画像形成装置が知られている。一般に、このような画像形成装置には、ロール紙の搬送方向と直交する幅方向にカッタを走行させて、ロール紙を所定の長さに切断するシート切断装置が搭載されている。
【０００３】
上記のようなシート切断装置では、シート切断後、後続するシートの切断に備えるため、カッタを保持するカッタユニットを元の位置（ホームポジション）に戻す必要がある。このとき、カッタがシートを切断するために走行する往路とカッタをホームポジションに戻す復路とが同一経路であると、その復路においてカッタが既に切断済みのシートに接触し、カッタユニットの移動が妨げられる、いわゆるカットジャムなどの不具合を生じさせるおそれがあった。
【０００４】
そこで、近年、このようなカットジャムなどの不具合を防止するため、カッタの往路に対して、カッタの復路が切断後に２分割されたシートのうちカッタより搬送方向上流側に位置するシートの先端（後続するシートの先端）から搬送方向下流側に離間する位置に設けられ、カッタの往路と復路とでその経路が異なるようにしたシート切断装置を備えた画像形成装置が知られている（例えば、特許文献１参照）。
【発明の概要】
【発明が解決しようとする課題】
【０００５】
しかしながら、この画像形成装置にあっては、記録ヘッドを保持するキャリッジと上記カッタユニットとがそれぞれ独立して搬送方向に並んで配置されているため、搬送方向の装置本体幅が大きくなってしまう。また、上記画像形成装置では、カッタの往路と復路とを異ならせることにより復路上でカッタと切断済みのシートとが接触することを回避できるが、カッタユニット自体はシートの搬送経路上に位置したままである。このため、カッタおよびカッタユニットをホームポジションに戻すまで、後続するシートを搬送することができず、生産性を向上させることができない。
【０００６】
そこで、本願出願人は、この不具合を解決できる新規なシート切断装置およびそのシート切断装置を有する画像形成装置を提供することを目的とした発明（以下、「先願発明」という）を提案した。この先願発明では、キャリッジとカッタユニットとをシート厚さ方向に重ねて配置することにより搬送方向の装置本体幅を縮小させ、かつカッタユニットの往路に対して復路をシートの搬送経路からシート厚さ方向に退避させた位置に設けることでシート切断後のカッタユニットが搬送経路から退避した状態で復路を移動可能なようにしている。
【０００７】
ところが、このような構成の先願発明に係るシート切断装置にあっては、シートの幅方向にカッタハウジングを移動部材で牽引することによりシートを切断可能とする一方で、シートの切断後は移動部材に対してカッタハウジングを回動させることによりカッタユニットをシートの搬送経路から退避させる構成を採っている。ここで、このようなシート切断装置では、カッタハウジングの回動軸と該回動軸の軸受穴との間にクリアランスを形成する必要があり、シート切断時に生じるカット負荷によってカッタハウジングの姿勢が変動することが懸念される。したがって、このような先願発明に係るシート切断装置では、カッタハウジングの姿勢が変動することでシートが曲がって切断されることがないようにする必要がある。
【０００８】
しかしながら、このようなシート切断時のカッタハウジングの姿勢の変動を抑制すべく、回動軸に対してカッタハウジングの相対的な位置を強固に固定すると、カッタハウジングが回動する際の負荷が増大するおそれがある。したがって、このような先願発明に係るシート切断装置では、カッタハウジングの姿勢の変動を抑制しつつもカッタハウジングの回動時の負荷が増大しないようにする必要がある。
【０００９】
そこで、本発明は、シート切断時におけるカッタハウジングの姿勢の変動を抑制するとともに、カッタハウジングの回動時の負荷を軽減することができるシート切断装置および画像形成装置を提供することを目的とする。
【課題を解決するための手段】
【００１０】
本発明に係るシート切断装置は、上記目的を達成するため、搬送経路を搬送されるシートを所定の長さに切断するシート切断装置であって、前記シートを切断する刃部からなるカッタを収容するとともに、前記シートの厚さ方向上方において前記シートの切断動作を実行し、前記シートの切断後、前記搬送経路に対して前記シートの厚さ方向下方に退避した状態で前記シートの搬送方向と直交する幅方向に移動可能に構成されたカッタハウジングと、前記カッタハウジングに対して前記シートの搬送方向に離隔して設けられ、前記幅方向に亘って設けられたガイド部材に沿って移動可能な移動部材と、前記カッタハウジングおよび前記移動部材を接続するとともに、前記移動部材に対して前記カッタハウジングを前記シートの厚さ方向に回動させる中心軸を有する接続部材と、前記シートの切断動作時において、前記ガイド部材に接触することで前記カッタハウジングを前記シートの厚さ方向に押付ける弾性部材とを備えた構成を有する。
【発明の効果】
【００１１】
本発明では、シート切断時におけるカッタハウジングの姿勢の変動を抑制するとともに、カッタハウジングの回動時の負荷を軽減することができるシート切断装置および画像形成装置を提供することができる。
【図面の簡単な説明】
【００１２】
【図１】本発明の実施の形態に係るシート切断装置を備えたインクジェット式記録装置の構成を示す概略斜視図である。
【図２】本発明の実施の形態に係るインクジェット式記録装置の概略側面図である。
【図３】本発明の実施の形態に係るシート切断装置の構成を示す概略背面図である。
【図４】（ａ）は、本発明の実施形態に係るシート切断装置の一部断面を示す概略側面図であり、（ｂ）は、シート切断装置の一部断面を示す概略上面図である。
【図５】本発明の実施の形態に係るカッタハウジングがロール紙切断動作領域に復帰した状態を示す説明図である。
【図６】本発明の実施形態に係るカッタハウジングの復路移行時の状態を示す説明図である。
【図７】本発明の実施形態に係るカッタハウジングの復路移行時の状態を示す一部断面側面図である。
【図８】本発明の実施形態に係るカッタハウジングの復路移動時の状態を示す説明図である。
【図９】本発明の実施形態に係るカッタハウジングが復路からホームポジションに復帰するための動作を示す説明図である。
【図１０】本発明の実施形態に係るカッタハウジングのロール紙切断動作領域復帰時の状態を示す説明図である。
【図１１】（ａ）は、本発明の実施形態に係るカッタユニットを背面側から見た概略斜視図であり、（ｂ）は、正面側から見た概略斜視図である。
【図１２】本発明の実施形態に係るカッタユニットの分解斜視図である。
【図１３】本発明の実施形態に係る駆動コロの回転駆動力の伝達構造を示す概略図である。
【図１４】本発明の実施形態に係る移動部材の分解斜視図である。
【図１５】本発明の実施形態に係る第１弾性部材およびコイルばねの概略斜視図である。
【図１６】本発明の実施形態に係る第１弾性部材およびコイルばねの取付構造を示す概略斜視図である。
【図１７】（ａ）は、本発明の実施形態に係るカッタユニットがロール紙切断動作領域に移動中の状態を示す概略側面図であり、（ｂ）は、カッタユニットがロール紙切断動作領域に存在している状態を示す概略側面図である。
【図１８】本発明の実施形態に係るカッタユニットが移動経路を往路から復路へと切り替える場合を示す概略側面図である。
【図１９】本発明の実施形態に係る移動部材がガイドレールに保持された状態を示す概略上面図である。
【図２０】（ａ）は、本発明の実施形態に係る往路移動時のカッタユニットの概略正面図であり、（ｂ）は、復路移動時のカッタユニットの概略正面図である。
【図２１】本発明の実施形態に係る第２弾性部材の取付構造を示す概略斜視図である。
【図２２】本発明の実施形態に係る第２弾性部材とローラ軸との関係を示す概略斜視図である。
【発明を実施するための形態】
【００１３】
以下、本発明の実施の形態について、図面を用いて説明する。
【００１４】
図１〜図２２は、本発明に係るシート切断装置および画像形成装置の一実施の形態を示す図であり、画像形成装置をインクジェット式記録装置に適用した例を示している。
【００１５】
図１および図２に示すように、画像形成装置としてのインクジェット式記録装置１は、インクジェットヘッドをシートの幅方向に走査させながら画像を形成し、１回あるいは複数回の走査が終了した後にシートを搬送し、次の記録ラインを形成する、いわゆるシリアル型インクジェット式記録装置である。
【００１６】
なお、シリアル型に限らず、複数のノズルが略シートの幅方向全域に形成され、幅方向への走査を行わずにシートを搬送しながら記録する、いわゆるライン型のインクジェット式記録装置にも適用可能である。
【００１７】
インクジェット式記録装置１は、画像形成手段としての画像形成部２と、シート搬送手段としてのシート搬送部３と、ロール紙収納部４と、シート切断装置５とを含んで構成され、これら各部は装置本体１ａの内部に配置されている。
【００１８】
画像形成部２は、図示しない両側板にガイドロッド１３およびガイドレール１４が掛け渡され、これらのガイドロッド１３およびガイドレール１４にキャリッジ１５が矢印Ａ方向に摺動可能に保持されている。
【００１９】
ここで、摺動とは、キャリッジ１５がガイドロッド１３およびガイドレール１４に接触しつつ、これらガイドロッド１３およびガイドレール１４上を矢印Ａ方向に移動することをいう。
【００２０】
キャリッジ１５には、ブラック（Ｋ）、イエロー（Ｙ）、マゼンタ（Ｍ）、シアン（Ｃ）の各色のインク滴を吐出する液体吐出ヘッド（記録ヘッド）が搭載されている。各記録ヘッドには、図示を省略しているが、各記録ヘッドにインクを供給するサブタンクが一体的に設けられている。
【００２１】
キャリッジ１５は、主走査機構１０によって主走査方向、すなわちシート幅方向（図中、矢印Ａで示す方向）に移動走査されるようになっている。主走査機構１０は、シート幅方向の一方側に配置される駆動モータ２１と、駆動モータ２１によって回転駆動される駆動プーリ２２と、シート幅方向の他方側に配置された従動プーリ２３とを備えている。また、主走査機構１０は、駆動プーリ２２と従動プーリ２３との間に掛け回されたベルト部材２４とを備えている。
【００２２】
従動プーリ２３は、図示しないテンションスプリングによって外方、すなわち駆動プーリ２２に対して離間する方向にテンションがかけられている。ベルト部材２４は、キャリッジ１５の背面側に設けたベルト固定部に一部分が固定保持されていることで、シート幅方向にキャリッジ１５を牽引する。
【００２３】
また、キャリッジ１５の主走査位置を検知するため、図示しないエンコーダシートがキャリッジ１５のシート幅方向に沿って配置されている。キャリッジ１５の主走査位置は、キャリッジ１５に設けられた図示しないエンコーダセンサによってエンコーダシートが読取られることにより検知される。
【００２４】
このキャリッジ１５における主走査領域のうち、記録領域では、シートとしてのロール紙３０がシート搬送部３によってシート幅方向と直交する方向、すなわちシート搬送方向（図中、矢印Ｂで示す方向）に間欠的に搬送される。
【００２５】
また、シート幅方向のキャリッジ移動領域外、または主走査領域のうち一方の端部側領域には、記録ヘッドのサブタンクに供給する各色のインクを収容したメインカートリッジ１８が装置本体１ａに対して着脱自在に装着されている。さらに、上記主走査領域のうち他方の端部側領域には、記録ヘッドの維持回復を行う維持回復機構１９が配置されている。
【００２６】
ロール紙収容部４は、給紙手段であり、画像記録用のシートとしてロール紙３０がセットされるようになっている。このロール紙収容部４には、シート幅方向のサイズが異なるロール紙がセット可能である。
【００２７】
ロール紙３０は、その紙軸に両側からフランジ３１を装着し、このフランジ３１をフランジ受け３２に載せ置くことによりロール紙収容部４に収容される。フランジ受け３２の内部には、図示しない支持コロが設けられ、該支持コロがフランジ３１の外周と接触することでフランジ３１が回転し、ロール紙３０が搬送経路としてのシート搬送経路に送り出される。
【００２８】
図２に示すように、シート搬送部３は、給紙ローラ対３３と、レジストローラ３４およびレジスト加圧ローラ３５と、用紙吸引搬送機構３６とを備えている。給紙ローラ対３３は、ロール紙収容部４からロール紙３０をシート搬送経路に給紙するようになっている。
【００２９】
レジストローラ３４およびレジスト加圧ローラ３５は、画像形成部２のシート搬送方向上流側に設けられ、給紙されたロール紙３０を画像形成部２の下方を通してシート切断装置５に搬送するようになっている。
【００３０】
また、用紙吸引搬送機構３６は、シート搬送経路を挟んで画像形成部２の下方に配置され、吸引動作を行うことにより、用紙吸引搬送機構３６の上面に配置された図示しないプラテン板上にロール紙３０を吸い付けるようになっている。これにより、画像形成部２の下方に搬送されたロール紙３０は、プラテン板に倣って平面度が維持される。
【００３１】
ロール紙収容部４から送り出されたロール紙３０は、装置本体１ａの後方（図中、右側）から前方（図中、左側）に向けて、シート搬送部３により画像形成部２の下部に位置する所定の記録領域へと搬送される。
【００３２】
キャリッジ１５は、上記記録領域にロール紙３０が搬送されると、シート幅方向に往復移動し、画像情報に応じて記録ヘッドによりインク滴が吐出する。さらに、インクジェット式記録装置１は、ロール紙３０を間欠的に搬送しながら記録ヘッドによるインク滴の吐出を繰り返し行うことにより、ロール紙上の各記録ラインに画像が形成する。最終的には、画像情報に応じた所望の画像がロール紙３０上に形成される。
【００３３】
画像形成後のロール紙３０は、シート切断装置５によって所定の長さに切断され、図示しない排紙ローラを介して装置本体１ａの前方側に配置された排紙トレイ（図示省略）に排出される。
【００３４】
次に、図３〜図７を参照して、本実施の形態に係るシート切断装置５について、説明する。なお、図３は、装置本体１ａ（図１参照）の背面側からシート切断装置５を見た図である。
【００３５】
図４（ａ）は、シート切断装置の一部断面を示す側面図である。図４（ａ）において、実線で記載されたカッタハウジング５１は、カッタユニット４０がロール紙３０の切断動作を実行する状態（往路移動時）の位置を示す。また、破線で記載されたカッタハウジング５１は、カッタユニット４０がロール紙３０の厚さ方向、すなわち鉛直方向の下方に退避した状態（復路移動時）の位置を示す。
【００３６】
図３および図４（ａ）、（ｂ）に示すように、シート切断装置５は、画像形成部２のシート搬送方向下流側に配置され（図２参照）、カッタユニット４０と、ガイド部材４１と、ワイヤ４２とを含んで構成されている。シート切断装置５は、シート搬送経路を搬送されるロール紙３０を所定の長さに切断するようになっている。
【００３７】
カッタユニット４０は、カッタ５０を収容するカッタハウジング５１と、移動部材５２と、接続部材としての回転軸５３とを備えている。
【００３８】
カッタ５０は、ロール紙３０を介して互いに対向配置された刃部からなる円形刃物５０ａ、５０ｂからなり、カッタハウジング５１に回転可能に保持され、収容されている。円形刃物５０ａ、５０ｂは、カッタハウジング５１のシート幅方向（図３中、矢印Ａで示す方向）の移動に応じて駆動力を得て回転するようになっている。
【００３９】
すなわち、カッタ５０は、円形刃物５０ａ、５０ｂが回転しながらロール紙３０を切断するため、比較的厚さのあるロール紙などの切断にも対応できる。また、カッタ５０は、円形刃物で構成されているため、固定刃のように所定箇所のみが集中して摩耗するといった不具合を防止することができる。
【００４０】
カッタハウジング５１は、後述する移動部材５２によってシート幅方向に往復移動可能に構成されるとともに、後述する回転軸５３を介して移動部材５２に接続されている。また、カッタハウジング５１は、移動部材５２に対して回転軸５３を中心にシート厚さ方向に回動可能、すなわち所定角度範囲で正逆方向に円運動可能なように構成されている。
【００４１】
カッタハウジング５１は、装置本体１ａ（図１参照）の他方側から一方側へ移動する往路ではカッタ５０によりロール紙３０を切断するようになっている。
【００４２】
一方、カッタハウジング５１は、装置本体１ａ（図１参照）の一方側から他方側へ移動する復路では、移動部材５２に対して下方に回動することによりシート搬送経路からシート厚さ方向の下方に退避した状態で元の位置（以下、「ホームポジション」という）に移動するようになっている。
【００４３】
すなわち、カッタハウジング５１は、ロール紙３０の切断後、シート搬送経路に対してシート厚さ方向に退避した状態でシート幅方向に移動可能に構成されている。このため、復路では、カッタハウジング５１がシート搬送経路から離隔し、シート搬送経路を塞ぐことがない。さらに、カッタハウジング５１は、復路から往路に復帰する際には移動部材５２に対して上方に回動するようになっている。
【００４４】
また、カッタハウジング５１は、シート幅方向の両端に設置されたマイクロスイッチ１１０（図１９参照）などの検出手段により位置検出され、制御される。
【００４５】
また、カッタハウジング５１は、シート切断時の移動方向（以下、「カット方向」という）の上流側（図３中、左側）に従動コロ５１ａが設けられている。
【００４６】
従動コロ５１ａは、後述する駆動コロ５５とシート幅方向に離間した位置に回転自在に設けられている。従動コロ５１ａは、カッタハウジング５１の往路では後述する上ガイドレール６１上を移動し、復路では後述する下ガイドレール６２上を移動するようになっている。
【００４７】
すなわち、従動コロ５１ａは、カッタハウジング５１の移動に際し、上ガイドレール６１および下ガイドレール６２に対してカッタハウジング５１を位置決めする部材として機能する。
【００４８】
なお、カッタハウジング５１の位置決め用の部材としては、従動コロ５１ａに限らず、例えば円弧状の突起であってもよいが、カッタハウジング５１の移動時の位置決め用の部材と両ガイドレールとの摩擦の影響を抑えるためにはコロで形成することが好ましい。
【００４９】
移動部材５２は、図４（ａ）、（ｂ）に示すように、カッタハウジング５１に対してシート搬送方向に離隔して設けられ、本体５４と、駆動コロ５５とを含んで構成されている。また、移動部材５２は、装置本体１ａ（図１参照）のシート幅方向に延びて存在する移動領域内でシート幅方向に移動可能とされる。
【００５０】
図３および図４（ａ）、（ｂ）に示すように、駆動コロ５５は、ゴムローラからなり、回転軸５３に一体回転可能に固定されている。したがって、駆動コロ５５は、回転軸５３を介して本体５４に回転可能に保持されている。
【００５１】
移動部材５２は、装置本体１ａのシート幅方向両側に設けられた一対のプーリ５８に掛け渡されたワイヤ４２に接続されている。一対のプーリ５８のうち、装置本体１ａ（図１参照）の一方側に設けられたプーリ５８には、カッタユニット駆動モータ５９が接続されている。
【００５２】
したがって、ワイヤ４２は、カッタユニット駆動モータ５９により回転するプーリ５８を介してシート幅方向に回転移動するようになっている。すなわち、ワイヤ４２は、移動部材５２に牽引力を伝達するようになっている。
【００５３】
これにより、ワイヤ４２は、移動部材５２をシート幅方向に牽引するようになっている。したがって、駆動コロ５５は、ワイヤ４２の回転移動に応じて後述する上ガイドレール６１上を回転駆動するようになっている。なお、移動部材５２の詳細な構成については後述する。
【００５４】
また、カッタハウジング５１は、往路と復路との切換時、駆動コロ５５の回転軸５３を支点に鉛直方向に回動するようになっている。これにより、カッタハウジング５１は、往路でロール紙３０を切断する姿勢と、復路でシート搬送経路から退避した姿勢とが切り換わるようになっている。
【００５５】
ここで、図４（ａ）に示すように、駆動コロ５５と従動コロ５１ａとは、互いにシート搬送方向（図中、矢印Ｂで示す方向）にずらして配置されている。具体的には、従動コロ５１ａが駆動コロ５５よりシート搬送方向の上流側に配置される。
【００５６】
このため、駆動コロ５５を上ガイドレール６１上に維持した状態で、従動コロ５１ａを上ガイドレール６１と下ガイドレール６２との間で移動させることができ、上述したカッタハウジング５１の回動を実現することができる。なお、図４（ａ）において矢印Ｂ方向に延在する破線は、シート搬送経路である。
【００５７】
さらに、図３に示すように、カッタハウジング５１は、シート搬送経路に対して鉛直方向に所定の角度で傾斜した傾斜面部５１ｃを有している。この傾斜面部５１ｃの傾斜角度は、カッタハウジング５１が復路を移動する際にシート搬送経路と平行となる角度に設定されている。
【００５８】
図４（ａ）、（ｂ）に示すように、回転軸５３は、カッタハウジング５１と移動部材５２とを接続する機能を有する。また、回転軸５３は、移動部材５２に対してカッタハウジング５１を中心軸Ｏ（図１９参照）を中心にシート厚さ方向に回動させる。
【００５９】
回転軸５３のシート搬送方向の下流側端部には、上述した駆動コロ５５が一体回転可能に固定されている。さらに、回転軸５３のシート搬送方向の上流側端部は、後述するカッタハウジング５１の軸受部５１ｂ（図１１参照）に回転自在に保持されている。
【００６０】
図３に示すように、ガイド部材４１は、移動部材５２がシート幅方向に移動するのをガイドする部材である。ガイド部材４１は、シート幅方向に延びて存在し、少なくともシート搬送幅よりも長く設定された上ガイドレール６１と、上ガイドレール６１に対してシート搬送経路より鉛直方向の下方に離隔した下ガイドレール６２とを備えている。上ガイドレール６１は、移動部材５２の下方に配置される。
【００６１】
また、図４（ａ）に示すように、ガイド部材４１は、上ガイドレール６１の上方に上ガイド板６３を備えている。上ガイド板６３は、移動部材５２の上方に配置されている。ガイド部材４１は、上ガイドレール６１上にカッタハウジング５１の往路を形成し、下ガイドレール６２上にカッタハウジング５１の復路を形成している。
【００６２】
したがって、カッタハウジング５１の従動コロ５１ａは、シート切断時の往路においては上ガイドレール６１上を移動し、シート切断後の復路においては下ガイドレール６２上を移動するようになっている。
【００６３】
上ガイドレール６１は、図４（ａ）、（ｂ）に示すように、シート搬送方向に並列に、駆動コロ５５をシート幅方向に案内する駆動コロ案内領域６１ａと、カッタハウジング５１が往路を移動するよう従動コロ５１ａを案内する従動コロ案内領域６１ｂとを有する。
【００６４】
従動コロ案内領域６１ｂのシート幅方向の一方側には、カッタハウジング５１の経路を往路から復路に切り換えるための第１連通路６１ｃが形成されている。第１連通路６１ｃは、図６に示すように、上ガイドレール６１上の往路と下ガイドレール６２上の復路とを連通するよう上ガイドレール６１に形成されている。
【００６５】
具体的には、上ガイドレール６１がシート幅方向の一方側の所定箇所で切り欠かれるとともに、切り欠かれた端部が下方に向けて所定の角度で傾斜するよう折り曲げられることにより第１連通路６１ｃが形成される。
【００６６】
これにより、従動コロ５１ａは、ロール紙切断後、上ガイドレール６１から下ガイドレール６２に移動可能となる。また、第１連通路６１ｃに隣接する上ガイドレール６１の下方側端部６１ｄは、復路を移動する従動コロ５１ａとの接触を避けるため、上方に折り曲げられている。
【００６７】
一方で、図５に示すように、従動コロ案内領域６１ｂのシート幅方向の他方側には、移動機構７０が設けられている。移動機構７０は、カッタハウジング５１が図１０の実線で示すホームポジションからシート幅方向の一方側に移動したとき、従動コロ５１ａを下ガイドレール６２から上ガイドレール６１に移動させる。すなわち、移動機構７０は、カッタハウジング５１をロール紙３０の切断動作を行う領域（以下、「ロール紙切断動作領域」という）に復帰させるための機構である。
【００６８】
移動機構７０は、下ガイドレール６２上の復路と上ガイドレール６１上の往路とを連通させる第２連通路６１ｅと、第２連通路６１ｅに隣接して上ガイドレール６１に設けられた切換爪７１とを有している。
【００６９】
第２連通路６１ｅは、上ガイドレール６１の他方側の所定箇所が切り欠かれることにより形成されている（図４（ｂ）参照）。
【００７０】
切換爪７１は、復路と上記第２連通路６１ｅとの間で回動自在、すなわち所定角度範囲で正逆方向に円運動可能に設けられている。切換爪７１は、先端部が下ガイドレール６２に接触するよう、図示しないコイルばねなどのばね部材の弾性力により常時、下方側に押し当てる力がかかっている。
【００７１】
したがって、図９に示すように、切換爪７１は、カッタハウジング５１が復路をシート幅方向の他方側に移動する際に、従動コロ５１ａが接触することにより図中破線で示す通り、ばね部材の弾性力に抗して上方に回動するようになっている。
【００７２】
そして、この状態から従動コロ５１ａがさらにシート幅方向の他方側に移動すると、切換爪７１は、従動コロ５１ａとの接触が解除され、ばね部材の弾性力により元の位置すなわち図中実線で示す位置に復帰するようになっている。
【００７３】
さらに、切換爪７１は、図９中、実線で示す位置においては所定の角度で傾斜している。これにより、図１０に示すように、カッタハウジング５１が復路から往路に復帰する際に、切換爪７１を介して従動コロ５１ａを下ガイドレール６２から上ガイドレール６１に移動させることができる。
【００７４】
下ガイドレール６２は、カッタハウジング５１が復路を移動する際に従動コロ５１ａを案内するようになっている。
【００７５】
図４（ａ）に示すように、上ガイド板６３は、対向面としての受け面６３ｃと、受け面６３ｃのシート搬送方向両端に設けられ、後述する移動部材５２の一対の側面５２ａ、５２ｂに対して、対向配置された第１案内面部６３ａおよび第２案内面部６３ｂとによって構成されている。
【００７６】
第１案内面部６３ａは、上ガイド板６３に対して下方側に鉛直方向に折り曲げられ、上ガイドレール６１に一体的に接続されている。
【００７７】
また、第２案内面部６３ｂは、第１案内面部６３ａと同様、上ガイド板６３に対して下方側に鉛直方向に折り曲げられるとともに、所定長さだけ下方に延びて存在している。ここで、第２案内面部６３ｂが下方に延長する所定長さは、後述する移動部材５２の各案内面接触部５４ｄが接触可能な領域を確保できる程度の長さである。
【００７８】
受け面６３ｃは、後述するカッタハウジング５１の姿勢を制御する押付部材１００と対向して存在し、押付部材１００と接触することで、押付部材１００にカッタハウジング５１の姿勢を制御する弾性力を発生させる。
【００７９】
次に、図５〜図１０を参照して、シート切断装置５の動作について説明する。
【００８０】
まず、図１０に示すように、ロール紙３０の切断前においては、カッタハウジング５１は、シート幅方向の他方側のホームポジション（図１０中、実線で示す位置）に位置している。
【００８１】
次いで、シート切断の指示を受けると、カッタハウジング５１は、ワイヤ４２（図３参照）を介して駆動コロ５５が回転駆動する。カッタハウジング５１は、ホームポジションからロール紙切断動作領域（図１０中、破線で示す位置）に移動した後、往路をシート幅方向の一方側に移動する。このとき、ロール紙３０は、カッタハウジング５１の移動に応じてカッタ５０により切断される。
【００８２】
次いで、図６に示すように、カッタハウジング５１がシート搬送経路を横断して往路をシート幅方向の一方まで移動すると、ロール紙３０の切断が終了する。そして、シート幅方向の一方に移動したカッタハウジング５１は、その移動経路を往路から復路へと切り換えるべく、駆動コロ５５の回転軸５３（図４（ａ）参照）を支点に鉛直方向の下方に自重により回動する。
【００８３】
具体的には、上ガイドレール６１上を移動していた従動コロ５１ａが第１連通路６１ｃに達し、従動コロ５１ａが第１連通路６１ｃを介して上ガイドレール６１から下ガイドレール６２に移動する。
【００８４】
このとき、図７に示すように、駆動コロ５５は上ガイドレール６１上に維持されたまま、従動コロ５１ａのみがカッタハウジング５１の自重により下ガイドレール６２に移動する。
【００８５】
これにより、図中、破線で示すシート搬送経路と重なっていたカッタハウジング５１が回動し、復路を移動可能な姿勢、すなわちシート搬送経路から退避した姿勢（図６中、破線で示す姿勢）となる。
【００８６】
その後、シート幅方向の一方に設けられたマイクロスイッチ１１０（図１９参照）による位置検出に基づき、ワイヤ４２（図３参照）の駆動が逆転され、駆動コロ５５の回転駆動が往路のときと逆の回転駆動とされる。
【００８７】
これにより、図８に示すように、カッタハウジング５１は、シート搬送経路から退避した姿勢で復路をシート幅方向の他方側に向けて移動する。このとき、傾斜面部５１ｃがシート搬送経路と平行であり、往路のときと異なりカッタハウジング５１がシート搬送経路から下方に退避している。
【００８８】
このため、カッタハウジング５１が復路を移動中であっても、シート搬送経路を介してロール紙３０を搬送可能であるため、次の画像形成を開始することができ、生産性を向上させることができる。また、カッタ５０と切断済みのロール紙３０との接触を回避でき、カットジャムなどの不具合を防止することができる。
【００８９】
次いで、図９に示すように、カッタハウジング５１がシート幅方向の他方側に移動し、移動機構７０の近傍まで来ると、従動コロ５１ａが切換爪７１に接触する。そして、従動コロ５１ａは、カッタハウジング５１の移動に応じて図中、破線で示すように切換爪７１を押し上げ、復路側（図９中、切換爪７１の右側）からシート幅方向の他方側すなわち第２連通路６１ｅ側（図９中、切換爪７１の左側）に移動する。
【００９０】
従動コロ５１ａが第２連通路６１ｅ側に移動すると、切換爪７１は従動コロ５１ａとの接触が解除され、ばね部材により元の位置すなわち図中実線で示す位置に復帰する。これにより、カッタユニット４０は、カッタハウジング５１のシート幅方向の一連の往復動作を終了する。また、後続するロール紙３０がある場合には、上述した一連の往復動作を繰り返し実行する。
【００９１】
次に、図１１〜図１４を参照して、本実施の形態に係るカッタハウジング５１および移動部材５２の詳細について説明する。
【００９２】
図１１（ａ）、（ｂ）および図１２に示すように、カッタハウジング５１は、回転軸５３を回転可能に支持する軸受部５１ｂを有している。軸受部５１ｂは、カッタ５０（図１３参照）の収容位置Ｃに対して、カッタハウジング５１の移動方向であるカット方向（図１１（ａ）中、往路を示す方向）の下流側、かつ上記収容位置Ｃよりも下方に設けられている。また、カッタハウジング５１は、軸受部５１ｂを介して回転軸５３に回動可能に連結されている。
【００９３】
また、カッタハウジング５１は、カッタ５０（図１３参照）に回転駆動力を伝達可能な伝達部材８０を有している。伝達部材８０は、プーリ８１と、無端ベルト８２と、プーリ８３とを含んで構成されている。ここで、無端とは、ベルトの両端部を接合し、かつ、つなぎ目が存在しないことをいう。
【００９４】
プーリ８１は、回転軸５３に一体回転可能に取り付けられている。また、プーリ８３は、カッタハウジング５１の軸５１ｅに回転自在に取り付けられている。ここで、プーリ８３のシート搬送方向上流側には、カッタハウジング５１の内部に設けられた図示しないギヤと噛み合うギヤ部８３ａが形成されている。
【００９５】
ギヤ部８３ａは、図示しないギヤと噛み合うことにより、カッタ５０（図１３参照）に回転駆動力を伝達可能としている。さらに、無端ベルト８２は、これらプーリ８１およびプーリ８３間に掛け回されている。
【００９６】
したがって、図１３に示すように、移動部材５２のシート幅方向への移動に応じて、駆動コロ５５が回転し、回転軸５３、プーリ８１、無端ベルト８２およびプーリ８３を介して回転駆動力がカッタ５０に伝達される。これにより、円形刃物５０ａ、５０ｂが回転するようになっている。
【００９７】
また、カッタハウジング５１は、従動コロ５１ａが取り付けられる従動軸５１ｄに押付部材１００と、コイルばね１０１とが設けられている。なお、本実施の形態に係るシート切断装置５においては、押付部材１００およびコイルばね１０１が押付部材を構成する。また、第１弾性部材およびコイルばね１０１の詳細については後述する。
【００９８】
図１１（ａ）、（ｂ）および図１４に示すように、移動部材５２は、上述の本体５４および駆動コロ５５に加えて、補助ローラ５６と、押付ローラ５７と、押付ばね５７ａとを含んで構成されている。
【００９９】
本体５４は、回転軸５３を回転自在に支持することにより駆動コロ５５を回転可能に保持している。回転軸５３は、カッタハウジング５１の軸受部５１ｂに回転自在に取り付けられている。また、本体５４は、上ガイドレール６１と上ガイド板６３との間にシート幅方向に移動可能に配置されている（図４参照）。
【０１００】
図１４および図１９に示すように、本体５４のカット方向の上流側端部および下流側端部（シート幅方向の両端）には、本体５４と一方の側面を共有し、カット方向の上流側および下流側のそれぞれに突出した突出部５４ａが形成されている。各突出部５４ａには、ワイヤ４２が引っ掛けられる掛止部５４ｂがそれぞれ設けられている。
【０１０１】
また、図１９に示すように、掛止部５４ｂが設けられた側と反対側の突出部５４ａの側面には、マイクロスイッチ１１０のレバー部１１０ａと接触するように、所定の傾斜角度で傾斜したマイクロスイッチ用傾斜面５４ｃが形成されている。
【０１０２】
マイクロスイッチ１１０は、レバー部１１０ａがマイクロスイッチ用傾斜面５４ｃに接触するよう第１案内面部６３ａ（図７参照）に取り付けられており、移動部材５２の有無を検知するようになっている。
【０１０３】
また、本体５４は、第１案内面部６３ａおよび第２案内面部６３ｂに対向する各側面５２ａ、５２ｂの上部４箇所に、本体外方に突出した突起状の案内面接触部５４ｄが設けられている。
【０１０４】
各案内面接触部５４ｄは、第１案内面部６３ａおよび第２案内面部６３ｂに当たって接するようになっている。案内面接触部５４ｄが第１案内面部６３ａおよび第２案内面部６３ｂに接触することにより、移動部材５２がシート幅方向に移動する際にシート搬送方向に傾いたり、揺動したりすることを防止することができる。
【０１０５】
駆動コロ５５は、本体５４のカット方向上流側、すなわち補助ローラ５６に近い側に配置されており、上ガイドレール６１の上面に当たって接して回転するようになっている。
【０１０６】
図１４に示すように、補助ローラ５６は、本体５４のカット方向の上流側上部にシート搬送方向に対向するように設けられた一対のスナップフィット部５４ｆに、回転自在に取り付けられている。
【０１０７】
押付ローラ５７は、ローラ軸５７ｂを有し、本体５４のカット方向の下流側上部に設けられた軸受部５４ｇにローラ軸５７ｂを介して回転自在に取り付けられている。ローラ軸５７ｂは、軸受部５４ｇ内で上下方向に移動可能に保持されるとともに、本体５４のシート搬送方向の両側面５２ａ、５２ｂの内側に形成されたストッパ部５４ｈにより所定量以上の上方への移動が規制されるようになっている。
【０１０８】
ストッパ部５４ｈは、上端部が本体内側に突出した爪形状となっている。また、ストッパ部５４ｈの両側には、切り欠きが形成されている。さらに、このストッパ部５４ｈには、後述する弾性部材９１が取り付けられるようになっている。
【０１０９】
押付ばね５７ａは、いわゆるダブルトーション型のコイルばねで構成されており、一端が本体５４に固定されるとともに、他端（自由端）が押付ローラ５７のローラ軸５７ｂに下方から接触するようになっている。
【０１１０】
したがって、押付ばね５７ａは、弾性力によりローラ軸５７ｂを上方に向けて押し当てることにより、押付ローラ５７を上ガイド板６３の下面に押付けるようになっている。
【０１１１】
また、補助ローラ５６および押付ローラ５７は、上ガイド板６３の下面に当たり接して回転するようになっている。ここで、補助ローラ５６と押付ローラ５７とは、駆動コロ５５を挟んでシート幅方向（図中、左右方向）に互いに離隔して設けられている。
【０１１２】
また、図１９に示すように、ガイド部材４１は、移動部材５２のシート幅方向（図中、左右方向）の移動領域の両端にフランジ部４１ａを有している。フランジ部４１ａは、ガイド部材４１のシート搬送方向下流側の側面（図４参照）からシート搬送方向上流側に向けて折り曲げられるようにして形成されている。
【０１１３】
このフランジ部４１ａには、本体５４の突出部５４ａの先端と接触可能なゴム製の緩衝部４１ｂが設けられている。これにより、移動部材５２がシート幅方向の両端に達した際の衝撃を吸収することができる。
【０１１４】
また、図１９においては、移動部材５２の移動領域のうち、カット方向下流側のみを図示しているが、カット方向上流側についても同様に構成されている。すなわち、カット方向上流側の端部にも、カット方向下流側の端部と同様、緩衝部４１ｂが設けられるとともに、マイクロスイッチ１１０が配置されている。
【０１１５】
次に、図１５〜図１８および図２０（ｂ）を参照して、押付部材１００およびコイルばね１０１によってシート切断時におけるカッタハウジング５１の姿勢の変動を抑制する構成について説明する。
【０１１６】
図１５、図１６に示すように、押付部材１００は、上ガイド板６３の受け面６３ｃに接触する接触部１００ａと、コイルばね１０１が取り付けられる円筒部１００ｂとを有している。また、押付部材１００は、従動コロ５１ａと接触することを防止するために、従動コロ５１ａと対向する面が円弧状になっている。
【０１１７】
接触部１００ａは、上ガイド板６３の受け面６３ｃとの接触面積が小さくなるように、突起状に形成されている。これにより、押付部材１００は、接触部１００ａと受け面６３ｃとの間に発生する摩擦力を低減することができる。
【０１１８】
また、押付部材１００は、接触部１００ａが円筒部１００ｂに対して、従動軸５１ｄの軸方向にオフセットされるよう形成されている。これにより、押付部材１００は、従動コロ５１ａとの接触を避けるとともに、シート切断動作領域において、上ガイド板６３の受け面６３ｃと確実に接触することができる。
【０１１９】
円筒部１００ｂは、内周面が従動軸５１ｄに取り付けられ、外周面にコイルばね１０１が取り付けられるように形成されている。
【０１２０】
コイルばね１０１は、押付部材１００と接触し押付部材１００に弾性力を加える第１アーム部１０１ａと、カッタハウジング５１に引っ掛かり固定される第２アーム部１０１ｂとを備える。また、コイルばね１０１は、押付部材１００の円筒部１００ｂに取り付けられる内周部１０１ｃを備える。
【０１２１】
第１アーム部１０１ａは、押付部材１００の内側に取り付けられ、押付部材１００の接触部１００ａが上ガイド板６３の受け面６３ｃに接触し、鉛直方向の下方に押付けられた場合に、押付部材１００に鉛直方向上方に向けた弾性力を発生させる。
【０１２２】
第２アーム部１０１ｂは、カッタハウジング５１に引っ掛かることで、第１アーム部１０１ａに荷重がかかった際にコイルばね１０１が荷重に倣って回転しないよう固定する。
【０１２３】
内周部１０１ｃは、押付部材１００の円筒部１００ｂの外周面に取り付けられる。これにより、コイルばね１０１は、押付部材１００に取り付ける場合の位置決めが容易な構成となっている。
【０１２４】
次いで、図１７（ａ）、（ｂ）および図１８を参照して、押付部材１００およびコイルばね１０１の作用について説明する。
【０１２５】
図１７（ａ）に示すように、カッタユニット４０がロール紙切断動作領域に存在しない場合において、押付部材１００は、コイルばね１０１の弾性力により取付時の姿勢を変えることなく従動軸５１ｄに設けられている。
【０１２６】
このため、押付部材１００は、カッタハウジング５１を鉛直方向の下方に向けて押付ける弾性力を発生することなく姿勢を維持している。また、押付部材１００は、接触部１００ａが上ガイド板６３の受け面６３ｃに接触していないので、移動部材５２の移動時の負荷となることがない。
【０１２７】
そして、図１７（ｂ）に示すように、カッタユニット４０がロール紙切断動作領域まで移動すると、押付部材１００は、接触部１００ａが上ガイド板６３の受け面６３ｃと接触する。これにより、押付部材１００は、鉛直方向の下方に押付けられることになる。
【０１２８】
押付部材１００が鉛直方向の下方に押付けられることで、コイルばね１０１の第１アーム部１０１ａは、鉛直方向の下方に向けた力を受けることになる。これにより、第１アーム部１０１ａは、押付部材１００に対して鉛直方向上方に向けた弾性力を発生させ、押付部材１００の姿勢を維持する。
【０１２９】
押付部材１００は、受け面６３ｃとの接触により鉛直方向の下方に向けた力を受けるとともに、第１アーム部１０１ａにより鉛直方向上方に向けた弾性力を受けて姿勢を維持し続けることになる。このため、押付部材１００は、円筒部１００ｂを介して従動軸５１ｄを鉛直方向の下方に向けて押付けることになる。
【０１３０】
従動軸５１ｄが鉛直方向の下方に向けて押付けられることにより、カッタハウジング５１は、回転軸５３を軸受部５１ｂの鉛直方向の下方に押付けることになる。つまり、回転軸５３は、軸受部５１ｂに鉛直方向の下方で接触することになり、回転軸５３と軸受部５１ｂとの間に形成されているクリアランスが、軸受部５１ｂの鉛直方向の下方の位置ではなくなることになる。
【０１３１】
これにより、カッタハウジング５１は、シート搬送方向上流側および下流側に傾くことがなくなり、ロール紙切断動作時におけるカッタハウジング５１の姿勢の変動が抑制されることになる。
【０１３２】
次いで、押付部材１００は、図１８に示すように、カッタハウジング５１がその移動経路を往路から復路へと切り替えるべく、回転軸５３を支点に鉛直方向の下方に回動する場合に、カッタハウジング５１を回動させる方向に弾性力を付与する。
【０１３３】
これにより、カッタハウジング５１は、移動経路を往路から復路へと切り替える場合に、自重に加えて押付部材１００の弾性力も受けることになり、移動経路の切り替えを容易に行うことができるようになる。
【０１３４】
そして、図２０（ｂ）に示すように、カッタユニット４０が復路を走行しホームポジションに戻る場合において、押付部材１００は、ガイド部材４１と接触することなく、コイルばね１０１の弾性力によって取付時の姿勢を維持した状態となる。つまり、復路走行時において、カッタハウジング５１は、押付部材１００による走行負荷を受けることなくホームポジションに戻ることができる。
【０１３５】
次に、図１９〜図２２を参照して、受け部９０および弾性部材９１によってシート切断時におけるカッタハウジング５１の姿勢の変動を抑制する構成について説明する。なお、本実施の形態に係るシート切断装置５においては、受け部９０および弾性部材９１が抑制部材を構成する。
【０１３６】
図１９に示すように、カッタハウジング５１のカット方向端部には、受け部９０が設けられている。詳細には、受け部９０は、回転軸５３に対して、シート切断時におけるカッタハウジング５１のカット方向下流側に設けられている。
【０１３７】
また、図２０（ａ）に示すように、受け部９０は、移動部材５２に対向する側に受け面９０ａを有する。この受け面９０ａは、図中下方に向かうに従い徐々に移動部材５２から離間する離間方向（図中、矢印Ｄで示す方向）に傾斜した傾斜面である。受け面９０ａには、後述する弾性部材９１が接触するようになっている。
【０１３８】
一方、図１９に示すように、移動部材５２には、弾性部材９１が設けられている。詳細には、弾性部材９１は、回転軸５３に対してカット方向下流側に設けられている。弾性部材９１は、中間部分で折り返された金属製の板ばねで構成されている。
【０１３９】
弾性部材９１は、カッタハウジング５１がシート切断時の姿勢（図２０（ａ）に示す状態）となった場合に上述の受け面９０ａと接触するよう構成されている。また、弾性部材９１は、カッタハウジング５１がシート搬送経路から退避した姿勢（図２０（ｂ）に示す状態）となった場合も、シート切断時の姿勢となった場合と同様に上述の受け面９０ａと接触するよう構成されている。
【０１４０】
したがって、弾性部材９１は、受け部９０に対して離間方向（図中、矢印Ｄで示す方向）に弾性力を付与するようになっている。
ここで、本実施の形態に係るシート切断装置５においては、カッタハウジング５１がシート切断時の姿勢となったときの受け部９０および弾性部材９１の状態を変動抑制状態という。
【０１４１】
また、本実施の形態に係るシート切断装置５においては、カッタハウジング５１がシート搬送経路から退避した姿勢となったときの受け部９０および弾性部材９１の状態を解除状態という。
【０１４２】
変動抑制状態では、後述するようにシート切断時におけるカッタハウジング５１の姿勢の変動が抑制される。一方、解除状態では、後述するようにカッタハウジング５１の姿勢の変動の抑制が解除される。また、変動抑制状態と解除状態とは、カッタハウジング５１の回動に応じて、受け面９０ａに対する弾性部材９１の弾性力が変化することで切り替わるようになっている。
【０１４３】
特に、本実施の形態では、変動抑制状態と解除状態とで受け面９０ａと弾性部材９１との距離が異なるよう受け面９０ａが傾斜しているので、変動抑制状態のときに受け面９０ａに作用する弾性部材９１の弾性力が最大となるよう構成されている。
【０１４４】
すなわち、弾性部材９１は、変動抑制状態となったとき、受け部９０に対して離間方向（図中、矢印Ｄで示す方向）に最大の弾性力を付与するようになっている。これにより、弾性部材９１は、変動抑制状態となったとき、最大の弾性力、すなわちカッタハウジング５１の姿勢の変動を抑制するための弾性力をカッタハウジング５１に作用させることができる。
【０１４５】
図２１（ａ）に示すように、弾性部材９１は、自由端側の先端部に、矢印Ｄで示す離間方向（以下、単に離間方向Ｄと記す）に球面状に膨らみ出た第２接触部９１ａを有している。
【０１４６】
したがって、図２０（ａ）に示すように、弾性部材９１は、受け面９０ａに接触する際には第２接触部９１ａが受け面９０ａに点接触するようになっている。このとき、受け面９０ａと第２接触部９１ａの接触位置は、回転軸５３の中心軸Ｏよりも下方である。
【０１４７】
また、弾性部材９１は、その基端側に離間方向Ｄと反対方向に凹状に折り曲げられた折り曲げ部９１ｂを有する。折り曲げ部９１ｂは、図２２（ａ）に示すように、移動部材５２のストッパ部５４ｈに取り付けられるようになっている。
【０１４８】
具体的には、折り曲げ部９１ｂは、移動部材５２の本体５４の内側からストッパ部５４ｈに接触するとともに、折り曲げ部９１ｂの上端がストッパ部５４ｈの爪形状に下方から突き当たるようになっている。
【０１４９】
また、図２２（ｂ）に示すように、弾性部材９１の基端側の先端部が本体５４の外側から案内面接触部５４ｄに下方から突き当たるようになっている。これにより、弾性部材９１は、折り曲げ部９１ｂを介して移動部材５２に取り付けられる。
【０１５０】
このとき、折り曲げ部９１ｂは、ローラ軸５７ｂの可動範囲全域に亘ってローラ軸５７ｂとストッパ部５４ｈとの間に介在することとなる。したがって、折り曲げ部９１ｂによってローラ軸５７ｂの上下移動が妨げられることがない。
【０１５１】
さらに、図２１（ｂ）に示すように、弾性部材９１は、基端側に対して自由端側が図中下方に位置するよう、角度を設けた形状となっている。これは、第２接触部９１ａが受け面９０ａの下方を押すことができるようにするためである。
【０１５２】
次いで、図１９、図２０（ａ）、（ｂ）を参照して、受け部９０および弾性部材９１の作用について説明する。
【０１５３】
図１９、図２０（ａ）は、往路移動時すなわちシート切断時のカッタユニット４０の状態を示し、受け部９０および弾性部材９１が変動抑制状態にあるときを示している。また、図２０（ｂ）は、復路移動時のカッタユニット４０の状態を示し、受け部９０および弾性部材９１が解除状態にあるときを示している。また、図２０（ａ）中、ＣＰは、カッタ５０（図１３参照）とロール紙３０（図２参照）との接触位置すなわちシート切断位置を示している。
【０１５４】
図２０（ａ）に示すように、シート切断時は、弾性部材９１の第２接触部９１ａが受け面９０ａに接触している。このとき、弾性部材９１は、受け面９０ａを離間方向Ｄに最大の弾性力で押している。
【０１５５】
また、このときの受け面９０ａと第２接触部９１ａの接触位置は、回転軸５３の中心軸Ｏよりも下方である。また、図１９に示すように、弾性部材９１は、回転軸５３に対してカット方向下流側に設けられている。
【０１５６】
このため、シート切断時において、受け面９０ａには、カッタハウジング５１に対して離間方向Ｄと反対方向にモーメントが作用する。詳細には、カッタハウジング５１の軸受部５１ｂを支点としてシート切断位置ＣＰが離間方向Ｄと反対方向に押付けられるよう、モーメントが働く。
【０１５７】
これにより、移動部材５２に対して離間方向Ｄにカッタハウジング５１の姿勢が変動することが抑制されるとともに、カッタハウジング５１の姿勢が離間方向Ｄに傾くことが抑制される。したがって、本実施の形態では、シート切断時にカッタハウジング５１の姿勢の変動が抑制される。
【０１５８】
なお、カッタハウジング５１の姿勢の変動には、上述した通り、移動部材５２に対して離間方向Ｄへのカッタハウジング５１の姿勢の変動の他、カッタハウジング５１が離間方向Ｄに傾くことが含まれる。
【０１５９】
次いで、シート切断後、カッタユニット４０は、カッタハウジング５１が回動し、図２０（ｂ）に示す状態に移行する。このとき、受け面９０と弾性部材９１との間の距離は、受け面９０ａが離間方向Ｄに傾斜した傾斜面で構成されているため、カッタハウジング５１の回動に伴い大きくなる。
【０１６０】
このため、受け面９０ａに作用する弾性部材９１の弾性力は、カッタハウジング５１の回動に伴い徐々に小さくなる。最終的に、弾性部材９１の変位量は、受け面９０ａと第２接触部９１ａとが接触していても弾性力がほとんど作用しない状態まで小さくなった状態となる。
【０１６１】
このように、カッタユニット４０は、ロール紙３０（図２参照）を切断しない復路移動時において、カッタハウジング５１の姿勢に変動があってもロール紙３０の切断に影響を与えないので、弾性部材９１の弾性力が作用する必要がない。
【０１６２】
また、カッタユニット４０は、カッタハウジング５１が回動する際に、弾性部材９１の弾性力が徐々に大きく、あるいは小さくなるよう受け面９０ａが傾斜しているので、カッタハウジング５１が回動する際の抵抗を小さくすることができる。
これに対して、往路移動時すなわちシート切断時は、弾性部材９１の弾性力を作用させてカッタハウジング５１の姿勢の変動を抑制する。
【０１６３】
以上のように、本実施の形態に係るシート切断装置５は、シート搬送経路を搬送されるロール紙３０を所定の長さに切断するシート切断装置５である。また、シート切断装置５は、ロール紙３０を切断するカッタ５０を収容するとともに、ロール紙３０の厚さ方向上方においてロール紙３０の切断動作を実行し、ロール紙３０の切断後、シート搬送経路に対してロール紙３０の厚さ方向下方に退避した状態でシート搬送方向と直交する幅方向に移動可能に構成されたカッタハウジング５１を備えるよう構成されている。
【０１６４】
また、シート切断装置５は、カッタハウジング５１に対してロール紙３０の搬送方向に離隔して設けられ、幅方向に亘って設けられたガイド部材４１に沿って移動可能な移動部材５２を備えるよう構成されている。
【０１６５】
そして、シート切断装置５は、カッタハウジング５１および移動部材５２を接続するとともに、移動部材５２に対してカッタハウジング５１をロール紙３０の厚さ方向に回動させる中心軸Ｏを有する回転軸５３を備えるよう構成されている。
【０１６６】
さらに、シート切断装置５は、ロール紙３０の切断動作時において、ガイド部材４１に接触することでカッタハウジング５１をロール紙３０の厚さ方向に押付ける押付部材１００およびコイルばね１０１を備えるよう構成されている。
【０１６７】
このため、シート切断装置５は、ロール紙３０を切断する場合に、押付部材１００が回転軸５３を軸受部５１ｂに押付けるため、カット負荷によるカッタハウジング５１の姿勢の変動を抑制でき、カッタユニット４０の走行を安定させることができる。
【０１６８】
また、本実施の形態に係るシート切断装置５は、押付部材１００が、ロール紙３０の切断動作時に押付部材１００と対向するガイド部材４１の受け面６３ｃと接触する接触部１００ａを有するように構成されている。
【０１６９】
このため、シート切断装置５は、押付部材１００の弾性力を効率よくカッタハウジング５１に伝えることができる。
【０１７０】
また、本実施の形態に係るシート切断装置５は、押付部材１００が、カッタハウジング５１がロール紙３０の厚さ方向下方に退避した状態にあるときにガイド部材４１と接触しないように構成されている。
【０１７１】
このため、シート切断装置５は、カッタユニット４０が復路を移動する場合に、カッタハウジング５１に押付部材１００からの弾性力が働かないため、カッタユニット４０の走行負荷を減少することができる。
【０１７２】
また、本実施の形態に係るシート切断装置５は、押付部材１００が、カッタハウジング５１がロール紙３０の切断動作を行うシート切断位置からロール紙３０の厚さ方向に退避する退避動作開始時において、カッタハウジング５１をロール紙３０の厚さ方向に回動させる方向に弾性力を付与するよう構成されている。
【０１７３】
このため、シート切断装置５は、ロール紙３０の切断開始から終了までの間、押付部材１００が回転軸５３を軸受部５１ｂに押付けるため、カット負荷によるカッタハウジング５１の姿勢の変動を抑制でき、カッタユニット４０の走行を安定させることができる。
【０１７４】
また、本実施の形態に係るシート切断装置５は、ロール紙３０の切断動作時にカッタハウジング５１の姿勢の変動を抑制する変動抑制状態およびシート搬送経路に対してロール紙３０の厚さ方向下方に退避した状態であるときにカッタハウジング５１の姿勢の変動の抑制を解除する解除状態を、カッタハウジング５１の回動に応じて切り替える受け部９０および弾性部材９１を備えるよう構成されている。
【０１７５】
このため、シート切断装置５は、変動抑制状態となったとき、弾性部材９１が弾性力をカッタハウジング５１に作用させるため、カット負荷によるカッタハウジング５１の姿勢の変動を抑制でき、カッタユニット４０の走行を安定させることができる。
【０１７６】
なお、本実施の形態において、カッタ５０は、円形刃物５０ａ、５０ｂの２枚から構成されているが、これに限らず、カッタ５０は１枚あるいは３枚以上の円形刃物で構成されていてもよい。ただし、円形刃物を１枚で構成した場合には、カッタ５０の移動方向に延びて存在する直線状の固定刃を別途設けるのが好ましい。
【０１７７】
また、本実施の形態において、カッタハウジング５１は、キャリッジ１５のシート搬送方向の幅内に配置される構成としたが、これに限らず、例えばキャリッジ１５に対してカッタハウジング５１がシート搬送方向上流側あるいは下流側に離間した位置に配置される構成であってもよい。
【０１７８】
シート搬送方向上流側に配置される場合、インクジェット式記録装置１は、キャリッジ１５による画像形成を終了した後に切断するようにすると、切断されたシートの後端近傍に画像を形成することができない。よって、この場合、インクジェット式記録装置１は、ロール紙３０を切断した後にキャリッジ１５を動かして画像形成を行う構成としてもよい。
【０１７９】
また、本実施の形態において、上ガイドレール６１と下ガイドレール６２とは、同一部材で構成したが、これに限らず、それぞれ別部材で構成してもよい。
【０１８０】
また、本実施の形態において、駆動コロ案内領域６１ａと従動コロ案内領域６１ｂとは、上ガイドレール６１の同一レールで構成したが、これに限らず、それぞれ別のレールで構成してもよい。
【０１８１】
また、本実施の形態において、上ガイド板６３と上ガイドレール６１とは、第１案内面部６３ａを介して一体的に構成したが、これに限らず、上ガイド板６３と上ガイドレール６１とを別部材で構成してもよい。
【０１８２】
また、本実施の形態において、掛止部５４ｂは、突出部５４ａに設けられる構成としたが、これに限らず、例えば掛止部５４ｂを本体５４に直接設けてもよい。また、ワイヤ４２を直接本体５４に取り付けるようにしてもよい。
【０１８３】
また、本実施の形態において、案内面接触部５４ｄは、突起状としたが、これに限らず、例えばローラで構成してもよい。
【０１８４】
また、本実施の形態において、移動部材５２は、牽引する部材としてワイヤ４２を用いたが、これに限らず、例えば有端のタイミングベルトを用いてもよい。この場合、タイミングベルトの端部は、突出部５４ａに抜け止めされた状態で固定される。タイミングベルトを用いることにより、カッタユニット４０は、ワイヤ４２と比較して牽引時の滑りを抑制することができる。
【０１８５】
また、本実施の形態において、補助ローラ５６は、２つのローラから構成したが、これに限らず、例えばシート搬送方向に幅広な一のローラで構成してもよい。
【０１８６】
また、本実施の形態において、切換爪７１は、板ばねで構成されていてもよい。切替爪７１が板ばねで構成された場合には、ばね部材が不要となる。
【０１８７】
また、本実施の形態において、補助ローラ５６は、カット方向上流側に配置し、押付ローラ５７をカット方向下流側に配置する構成としたが、これらの配置を逆にしてもよい。
【０１８８】
また、本実施の形態において、フランジ部４１ａは、上ガイドレール６１を下方に向けて折り曲げることで形成したが、これに限らず、上ガイドレール６１から上方に向けて折り曲げられるようにして形成してもよい。
【０１８９】
また、本実施の形態において、第２接触部９１ａは、球面状としたが、これに限らず、点接触するものであればいずれの形状でもよい。
【０１９０】
また、本実施の形態において、弾性部材９１は、最終的に受け面９０ａと第２接触部９１ａとが接触していても弾性力がほとんど作用しない状態まで変異量が小さくなる構成としたが、これに限らず、最終的に受け面９０ａと第２接触部９１ａとを非接触の状態となり、弾性力を作用させないようにしてもよい。
【０１９１】
また、本実施の形態において、カッタハウジング５１は、鉛直方向の下方に退避する構成としたが、これに限らず、例えばシート切断装置５が装置本体１ａに対して水平に設置されていない場合、シート切断装置５の傾きに応じてロール紙３０の厚さ方向に退避する構成としてもよい。さらに、シート切断装置５は、カッタハウジング５１を鉛直方向の上方に退避する構成としてもよい。
【０１９２】
この場合、シート切断装置５は、ガイド部材４１をシート搬送経路の上方に配置し、カッタハウジング５１の往路を下ガイドレール６２上に設け、復路を上ガイドレール６１上に設ける。
【０１９３】
したがって、カッタハウジング５１は、シート切断動作時に往路上を移動した後、本実施の形態における移動機構７０に相当する図示しない移動機構を介して従動コロ５１ａが上ガイドレール６１上に移動する。
【０１９４】
これにより、カッタハウジング５１は、シート搬送経路から退避した姿勢となり、復路上を移動可能となる。復路上を移動したカッタハウジング５１は、本実施の形態における第１連通路６１ｃに相当する図示しない連通路を介して従動コロ５１ａが下ガイドレール６２上に移動することにより、シート切断可能な姿勢となる。上記構成においても本実施の形態と同様の効果を得ることができる。
【０１９５】
また、本実施の形態において、接触部１００ａは、突起状に構成されているが、これに限らず、例えばロール紙３０の搬送方向に平行な軸を中心として回転する回転体によって構成されていてもよい。
【０１９６】
この場合、接触部１００ａは、上ガイド板６３の受け面６３ｃと接触する箇所が常に変動することから、接触部１００ａの摩耗を防止することができる。
【符号の説明】
【０１９７】
１  インクジェット記録装置（画像形成装置）
２  画像形成部（画像形成手段）
３  シート搬送部（シート搬送手段）
５  シート切断装置
３０  ロール紙（シート）
４０  カッタユニット
４１  ガイド部材
５０  カッタ
５０ａ、５０ｂ  円形刃物（刃部）
５１  カッタハウジング
５２  移動部材
５３  回転軸（接続部材）
６３  上ガイド板
６３ｃ  受け面（対向面）
９０  受け部（抑制部材）
９１  弾性部材（抑制部材）
１００  押付部材
１００ａ  接触部
１０１  コイルばね（押付部材）
Ｏ  中心軸
【先行技術文献】
【特許文献】
【０１９８】
【特許文献１】特開２００９−２１４２００号公報
【図１】
2014113665.tif 000003
【図２】
2014113665.tif 000004
【図３】
2014113665.tif 000005
【図４】
2014113665.tif 000006
【図５】
2014113665.tif 000007
【図６】
2014113665.tif 000008
【図７】
2014113665.tif 000009
【図８】
2014113665.tif 000010
【図９】
2014113665.tif 000011
【図１０】
2014113665.tif 000012
【図１１】
2014113665.tif 000013
【図１２】
2014113665.tif 000014
【図１３】
2014113665.tif 000015
【図１４】
2014113665.tif 000016
【図１５】
2014113665.tif 000017
【図１６】
2014113665.tif 000018
【図１７】
2014113665.tif 000019
【図１８】
2014113665.tif 000020
【図１９】
2014113665.tif 000021
【図２０】
2014113665.tif 000022
【図２１】
2014113665.tif 000023
【図２２】
2014113665.tif 000024